(57)【要約】【課題】液体冷媒を用いて巻線を冷却する際に、スロット位置によらずスロットに巻回された巻線の温度を同等に低減する発電電動機を提供すること。【解決手段】回転軸を有する回転子と、回転子５の外周側にスロットとティースをもつ固定子鉄心１と、スロットに収容されティースに巻回された電機子巻線４と、回転軸６の軸方向両端側に配された電機子巻線４の端部に液体冷媒２０を滴下又は噴射する手段２１と、を備え、電機子巻線４を収容したスロットの両端部から回転軸の軸方向の中央に向けてそれぞれ下方に傾斜する液体冷媒流路１４を設けること。また、液体冷媒流路１４は、隣のティースに巻回され且つ同一のスロットに収容された電機子巻線同士の間に存する隙間に設け、傾斜した板状体１４又はくさび形スペーサである。【選択図】図１
2014018003.tif 000002
【特許請求の範囲】
【請求項１】
回転軸を有する回転子と、前記回転子の外周側にスロットとティースをもつ固定子鉄心と、前記スロットに収容され前記ティースに巻回された電機子巻線と、前記回転軸の軸方向両端側に配された前記電機子巻線の端部に液体冷媒を滴下又は噴射する手段と、を備え、
前記電機子巻線を収容したスロットの両端部から前記回転軸の軸方向の中央に向けてそれぞれ下方に傾斜する液体冷媒流路を設けた発電電動機。
【請求項２】
請求項１に記載の発電電動機において、
前記液体冷媒流路は、隣のティースに巻回され且つ同一のスロットに収容された電機子巻線同士の間に存する隙間に設けた発電電動機。
【請求項３】
請求項２に記載の発電電動機において、
前記液体冷媒流路は、傾斜する板状体である発電電動機。
【請求項４】
請求項２に記載の発電電動機において、
前記液体冷媒流路は、前記電機子巻線同士の間に設けたくさび形形状のスペーサである発電電動機。
【請求項５】
請求項４に記載の発電電動機において、
前前記液体冷媒流路は、前記同一スロット内の電機子巻線同士を前記回転軸の内径側で支持する巻線支持部と前記スペーサを一体で構成した発電電動機。
【請求項６】
請求項１ないし５のいずれかに記載の発電電動機において、
前記液体冷媒流路は、前記固定子鉄心の前記軸方向の端部から前記電機子巻線の端部まで延設した発電電動機。
【請求項７】
請求項１ないし５のいずれかに記載の発電電動機において、
前記液体冷媒流路は、前記軸方向の中央部に、前記液体冷媒を前記回転軸の径方向に流す抜き孔を設けた発電電動機。
【請求項８】
請求項１に記載の発電電動機において、
前記電機子巻線は、前記ティースに巻回する代わりに、前記ティースの前記軸方向の両端部から挟み込む分割した巻線ボビンに巻回され、
前記液体冷媒流路は、前記巻線ボビンと一体に設けた発電電動機。
【請求項９】
回転軸を有する回転子、前記回転子の外周側にスロットとティースをもつ固定子鉄心、前記スロットに収容され前記ティースに巻回された電機子巻線、前記回転軸の軸方向両端側に配された前記電機子巻線の端部に液体冷媒を滴下又は噴射する手段、を有する発電電動機と、
前記回転軸に連結され前記発電電動機により駆動される油圧ポンプと、
前記油圧ポンプにより駆動される油圧アクチュエータと、
前記発電電動機、前記油圧ポンプ、前記油圧アクチュエータを搭載して、平坦地と傾斜地を走行する走行体と、を備え、
前記電機子巻線を収容したスロットの両端部から前記回転軸の軸方向の中央に向けてそれぞれ下方に傾斜する液体冷媒流路を設け、
前記平坦地において前記走行体上の発電電動機の最上位にある固定子鉄心と、規定される最大傾斜地において前記回転軸周方向の傾きによる前記走行体上の発電電動機の最上位にある固定子鉄心と、とを含めてそれらの固定子鉄心の間の全ての固定子鉄心のスロットに対して、前記液体冷媒流路を設けた電動車両。
【請求項１０】
請求項９に記載の電動車両において、
前記液体冷媒流路は、前記電機子巻線同士の間に設けたくさび形形状のスペーサである電動車両。
【請求項１１】
請求項１０に記載の電動車両において、
前記液体冷媒流路は、前記同一スロット内の電機子巻線同士を前記回転軸の内径側で支持する巻線支持部と前記スペーサを一体で構成した電動車両。
【発明の詳細な説明】
【技術分野】
【０００１】
本発明は、発電電動機およびこれを用いた電動車両に係わり、特に液体冷媒による巻線冷却された発電電動機及びこれを適用した電動車両に関する。
【背景技術】
【０００２】
発電電動機などの回転電機は、巻線への通電電流が流れる際の損失により発熱が生じるため、巻線の絶縁の耐熱温度を超過しないような冷却設計がなされている。特に、通電電流が大きい場合には、巻線冷却を空気の循環等で行うと、十分な冷却能力が得られない場合がある。このような際に巻線を冷却する従来方法として油等の液体冷媒を用いる技術があり、液体冷媒による回転電機の巻線の冷却を図２３に示す。
【０００３】
図２３に示す従来方法によると、図示しない液体冷媒を溜めるタンク等から図示しない冷媒通路を通った液体冷媒２０が、モータケース８に設けられた冷媒供給口２１ａ及び２１ｂを通して、回転電機内の電機子巻線４に滴下される。巻線４を除熱した液体冷媒２０はモータケース８の下方に溜まり、冷媒排出口２２より図示しないポンプ等により加圧送給されるか、回転体（例えば回転子５に付設された羽根）によりかき上げられて冷媒通路を循環する。この際、電機子巻線４に滴下された液体冷媒２０は電機子巻線４の表面を伝うようにして流れるが、電機子巻線４はシャフト６の軸方向に概ね平行であるため、大部分の液体冷媒が固定子鉄心１の軸方向へ流れることなく鉛直下方へ落下する。
【０００４】
そこで、液体冷媒を巻線に対して自重により滴下又は圧力を加えて噴射することにより回転電機の冷却を行う場合、十分な量の液体冷媒が巻線各所に掛かるような手法が従来から提案されている。例えば、特許文献１には、磁気コア内部に形成した油路を介して噴出口に導き、噴出口をコアのコイル内面に開口して配設することで、各コイルに対して均一な冷却を行うことが開示されている。
【０００５】
また、特許文献２には、固定子のスロット内部に軸方向に冷媒通路を形成した回転電機において、冷媒通路の断面積を上流側で大きく下流側で小さくして、下流ほど冷媒速度を上昇させることで入口側と出口側の冷却むらを低減することが開示されている。
【０００６】
また、特許文献３には、建設機械車両等に搭載される電動モータの冷却構造において、車両が水平状態で動作するとは限らず、傾斜状態の動作においても冷却機能が損なわれないように、油溜まりに貯留されている冷却油がロータ回転に対する攪拌抵抗として作用しないようにする冷却構造が開示されている。すなわち、回転電機を搭載した車両傾斜状態に対する回転電機の冷却技術が開示されている。
【先行技術文献】
【特許文献】
【０００７】
【特許文献１】特開２００９−２４０１１３号公報
【特許文献２】特開２００３−２８９６４９号公報
【特許文献３】特開２００９−７１９２３号公報
【発明の概要】
【発明が解決しようとする課題】
【０００８】
ところで、図２３に示す従来方法による回転電機の巻線冷却では、冷媒供給口２１のある鉛直上方より下方へ液体冷媒２０を滴下すると、固定子鉄心１の周方向のスロット位置によって巻線への液体冷媒の掛かり方に差が生じ、巻線の温度が不均一となる場合がある。というのも、シャフト６の上方部に配置された固定子鉄心１の各巻線端部にはそれぞれ冷媒供給口が設けられていて、下位の巻線端部への液体冷媒は、該当する冷媒供給口からの液体冷媒の外に、上位の巻線端部から洩れて滴下してきた液体冷媒が流れて、液体冷媒の掛かり方に差が生じるのである。巻線温度が不均一になると、巻線の熱伸びの不均一による応力の集中等が生じて巻線破損につながる可能性がある。
【０００９】
また、上記の特許文献１に示すようにコア内に油路を設けると、粘性の高い冷媒を用いた際の油の圧力損失の増加が生じ、さらに、鉄心加工工数の増加とコスト増加といった課題が生じる。
【００１０】
また、上記の特許文献２に示すように、冷媒通路断面積の変化によって流速の変化を得る技術は、巻線スロット内が冷媒で充填される程度の冷媒量を流通させる必要があるため、体格（サイズ）の大きな回転電機では冷媒循環装置が大型化してしまう課題が生じる。
【００１１】
さらに、上記の特許文献３は、建設機械の上部旋回体駆動用の回転軸が垂直方向の設置である場合の電動モータの巻線冷却構造を開示しているが、建設機械の油圧ポンプ駆動用の電動モータのように電動モータ回転軸が水平方向設置である場合には、車体傾斜時に液体冷媒の掛かり方が垂直方向設置の場合に比べて異なった状態となり、冷却性能の低下や巻線温度の冷却不均一を引き起こす可能性がある。
【００１２】
本発明が解決しようとする課題は、液体冷媒を用いて巻線を冷却する際に、固定子鉄心のスロット位置によらず、スロットに巻回された巻線の温度を同等に低減することで冷却性能を向上するとともに、建設機械車両のように車体が傾斜する車両に回転電機としての発電電動機を搭載した場合にも冷却性能が損なわれないようにすることである。
【課題を解決するための手段】
【００１３】
前記課題を解決するために、本発明は主として次のような構成を採用する。  
回転軸を有する回転子と、前記回転子の外周側にスロットとティースをもつ固定子鉄心と、前記スロットに収容され前記ティースに巻回された電機子巻線と、前記回転軸の軸方向両端側に配された前記電機子巻線の端部に液体冷媒を滴下又は噴射する手段と、を備え、前記電機子巻線を収容したスロットの両端部から前記回転軸の軸方向の中央に向けてそれぞれ下方に傾斜する液体冷媒流路を設けた発電電動機である。
【００１４】
また、前記発電電動機において、前記液体冷媒流路は、隣のティースに巻回され且つ同一のスロットに収容された電機子巻線同士の間に存する隙間に設け、前記液体冷媒流路は、傾斜する板状体又はくさび形形状のスペーサである構成である。
【００１５】
また、回転軸を有する回転子、前記回転子の外周側にスロットとティースをもつ固定子鉄心、前記スロットに収容され前記ティースに巻回された電機子巻線、前記回転軸の軸方向両端側に配された前記電機子巻線の端部に液体冷媒を滴下又は噴射する手段、を有する発電電動機と、前記回転軸に連結され前記発電電動機により駆動される油圧ポンプと、前記油圧ポンプにより駆動される油圧アクチュエータと、前記発電電動機、前記油圧ポンプ、前記油圧アクチュエータを搭載して、平坦地と傾斜地を走行する走行体と、を備え、前記電機子巻線を収容したスロットの両端部から前記回転軸の軸方向の中央に向けてそれぞれ下方に傾斜する液体冷媒流路を設け、前記平坦地において前記走行体上の発電電動機の最上位にある固定子鉄心と、規定される最大傾斜地において前記回転軸周方向の傾きによる前記走行体上の発電電動機の最上位にある固定子鉄心と、とを含めてそれらの固定子鉄心の間の全ての固定子鉄心のスロットに対して、前記液体冷媒流路を設けた電動車両である。
【発明の効果】
【００１６】
本発明によれば、固定子鉄心のスロットに巻回された巻線を軸方向に亘って略同等に冷却することができ、さらに、スロット位置によらずにスロット毎の巻線の温度を不均一にならないようにすることができる。
【００１７】
また、エンジンや油圧ポンプを含めた温度環境の厳しい条件をもつ電動車両に発電電動機を適用した場合において、電機子巻線の冷却意義を一層高めることができ、さらに、電動車両の傾斜地での作業においても冷却性能を損なわないようにすることができる。
【図面の簡単な説明】
【００１８】
【図１】本発明の実施形態１に係る発電電動機における液体冷媒の流れ通路を示す断面図である。
【図２】図１のＡ−Ａ’断面におけるスロットの内部構成を示す図である。
【図３】図１のＢ−Ｂ’断面におけるスロットの内部構成を示す図である。
【図４】本発明の実施形態２に係る発電電動機における液体冷媒の流れ通路を示す断面図である。
【図５】図４のＣ−Ｃ’断面におけるスロットの内部構成を示す図である。
【図６】図４のＤ−Ｄ’断面におけるスロットの内部構成を示す図である。
【図７】本発明の実施形態３に係る発電電動機における図４のＣ−Ｃ’断面でのスロットの内部構成を示す図である。
【図８】本発明の実施形態３に係る発電電動機における図４のＤ−Ｄ’断面でのスロットの内部構成を示す図である。
【図９】本発明の実施形態４に係る発電電動機における液体冷媒の流れ通路を示す断面図である。
【図１０】本発明の実施形態５に係る発電電動機における液体冷媒の流れ通路を示す断面図である。
【図１１】本発明の実施形態６に係る発電電動機における固定子鉄心ティースに取り付けられる巻線ボビンを示す見取図である。
【図１２】本実施形態６に関する固定子鉄心ティースに取り付けられた巻線ボビンと巻線を示す見取図である。
【図１３】本実施形態６に関する巻線ボビンとこれに付設した傾斜冷媒流路の構造を示す見取図である。
【図１４】本実施形態６に係る発電電動機の軸方向端部付近での断面におけるスロットの内部構成を示す図である。
【図１５】本実施形態６に係る発電電動機の軸方向中央付近での断面におけるスロットの内部構成を示す図である。
【図１６】本発明の各実施形態で用いる傾斜させた冷媒流路の左半分を示す各種の変形例である。
【図１７】本発明の実施形態７に係る電動車両に適用した発電電動機のスロットに設けたスペーサの回転軸周方向の配置を示す図である。
【図１８】本実施形態７に係る、発電電動機を適用した電動車両の外観を示す見取り図である。
【図１９】本実施形態７に係る、発電電動機を適用した電動車両が傾斜地で作業する状況を表す図である。
【図２０】本実施形態７に係る、発電電動機を適用した電動車両におけるエンジン室の断面構成図である。
【図２１】本発明の実施形態に係る発電電動機本体における各構成要素を示す分解図である。
【図２２】本発明の実施形態に係る発電電動機の巻線端部に向けて液体冷媒をエンドブラケットから噴射する構成例を示す図である。
【図２３】本発明の実施形態に係る発電電動機の巻線端部に向けて液体冷媒をモータケースから滴下する構成例を示す図である。
【発明を実施するための形態】
【００１９】
本発明の実施形態に係る回転電機としての発電電動機の概要について、まず、図２１〜図２３を参照しながら説明する。図２１〜図２３において、１は固定子鉄心、４は電機子巻線、５は回転子、６はシャフト、７はエンドブラケット、８はモータケース、２０は液体冷媒、２１ａ，２１ｂは冷媒供給口、２２は冷媒排出口、２３ａ，２３ｂは冷媒噴射孔、３５はオイルシール、３６はリング、をそれぞれ表す。
【００２０】
図２１は、回転子５に界磁源としての永久磁石を有し、固定子鉄心１に電機子巻線４を有してこの電機子巻線４に液体冷媒２０を噴射して冷却を行う発電電動機の本体構成を示す図である。図２１に示す発電電動機の本体には、回転子５の同心外径側に電機子巻線４を巻回した固定子鉄心１が配置され、固定子鉄心１の外径側にモータケース８が配置されている。
【００２１】
また、図２１と図２２を参照すると、シャフト６の軸方向両端側には、液体冷媒２０を噴射する冷媒噴射孔２３ａ，２３ｂを設けたリング３６が設けられている。エンドブラケット７に設けられた冷媒経路を通じて供給された液体冷媒２０が発電電動機の電機子巻線４に向けて噴射される。噴射された冷媒２０はモータケース８の下方から冷媒排出口２２を経て図示しないタンクに溜められた後、図示しない外部ポンプを経て、エンドブラケット７の冷媒経路に至る。また、エンドブラケット７のシャフト６が貫通する位置にはオイルシール３５が設けられている。
【００２２】
なお、本発明の実施形態に係る発電電動機の構成例としては、図２２に示すように、ポンプなどで圧力を加えた液体冷媒を側方から巻線に向けて噴射する構成のものでもよく、また、この構成例に限らず、図２３に示すように、巻線端部の両側に又は片側に、上方から液体冷媒を滴下する構成のものであってもよい。さらに、発電電動機の回転子に付設した羽根によってモータケース８の下方に貯められた液体冷媒をかき上げて巻線端部に注ぐ構成に対しても本発明の実施形態を適用することができる。
【００２３】
そして、本発明の実施形態に係る発電電動機の特徴を端的に云えば、固定子鉄心のスロットに巻回された巻線を軸方向に亘ってむら無く冷却して冷却効果を高めることであり、さらに、最上位のスロットから下方のスロットに亘ってそれぞれのスロットに巻回された巻線同士で温度分布に偏りが出ないようにすることである。
【００２４】
また、本発明の実施形態に係る、発電電動機適用の電動車両の特徴を端的に言えば、発熱源であるエンジンや油圧ポンプに発電電動機が連結されていることに伴って、巻線の回転軸軸方向の略同等な冷却と回転軸周方向の巻線同士の冷却における冷却意義とその必要性を一層高めることにつながっており、さらに、電動車両が傾斜地で稼働又は作業するのに伴って、特に回転軸周方向の巻線同士を偏り無く冷却するようにしたものである。
【００２５】
そして、本発明の実施形態に係る発電電動機とこれを適用した電動車両の具体的な構成とその効果については、以下の各実施形態で詳述する。
【００２６】
「実施形態１」
本発明の実施形態１に係る発電電動機について、図１、図２、図３、図１６を参照しながら以下説明する。図１は本発明の実施形態１に係る発電電動機における液体冷媒の流れ通路を示す断面図である。ただし、図２３に一点鎖線で示した中心線より上方の領域を示している。また、図２と図３は、それぞれ図１のＡ−Ａ’断面、Ｂ−Ｂ’断面におけるスロットの内部構成を示す図であり、回転子は図示していない。
【００２７】
固定子鉄心１はティース２とスロット３を有し、スロット３に納められた電機子巻線４ａ，４ａ’がティース２ａに、電機子巻線４ｂ，４ｂ’はティース２ｂに、それぞれ巻回されている。図２と図３において、絶縁シート１２は巻線４の絶縁を図るシートであり、巻線支持部１３は、巻線４をスロット３の適宜位置に支持するためのものであり、挿し木とも称される。
【００２８】
図示しない液体冷媒を溜めるタンク等から図示しない冷媒通路を通った液体冷媒２０がモータケース８に設けられた冷媒供給口２１ａおよび２１ｂを通して発電電動機内の電機子巻線４の両端部に滴下される。電機子巻線４を除熱した液体冷媒２０はモータケース８の下方に溜まり、冷媒排出口２２（図２３を参照）より図示しないポンプ等により加圧されて冷媒通路を循環する。
【００２９】
ここで、本実施形態１では、固定子鉄心１のスロット３内に傾斜板１４を設けることが特徴の１つである。傾斜板１４は、スロット３内の電機子巻線４ａと４ｂとの間に設けられ、固定子鉄心１の軸方向端部から中央に向かって傾斜している。図２（Ａ−Ａ’断面）では発電電動機の径方向外周側に、図３（Ｂ−Ｂ’断面）では発電電動機の径方向内周側に、それぞれ位置している。
【００３０】
図１に示す例によると、傾斜板１４は軸方向の中央部が最も低位となるように傾斜している。傾斜板１４は固定子鉄心１の最上位の外に少なくともその両隣のスロット３に設けられる。なお、シャフト６の上位に位置するすべてのスロット３に同様な形状の傾斜板１４を設けてもよい。傾斜板１４は、図２の例で云えば、巻線４ａと４ｂの間に従来から存在する空きスペースを有効活用して当該スペースに設置している。また、傾斜板１４は樹脂等の絶縁体から構成するのが電気絶縁性の点で望ましい。
【００３１】
巻線の端部に滴下（図１）又は巻線に向けて噴射（図２２）されて、軸方向へ導入された液体冷媒は、スロット３内において、傾斜板１４と絶縁シート１２との間隙、絶縁シート１２と巻線支持部１３との間隙を経て、発電電動機の内径側（回転子側）に流れ抜ける。間隙を流れ抜ける流量よりも流入量が多い場合には、流路内で対流し巻線両端部より流れ抜ける経路を取る。ここで、流路内での対流というのは、図１を参照すると、Ｖ字形状の傾斜板１４の最底部において巻線発熱で温められた液体冷媒が対流で上昇してそれぞれの端部に戻る現象を云う。
【００３２】
本実施形態の構成により、電機子巻線４を伝って流れた液体冷媒は傾斜板１４を通って固定子鉄心１の軸方向中央へ導入される。これにより、電機子巻線４を伝う液体冷媒の量が増加し、冷却能力が向上する。本実施形態によれば、巻線４ａと４ｂの間に形成された空きスペースの有効活用の外に、Ｖ字形状の傾斜板による対流現象に因って冷却性能がさらに向上する。
【００３３】
また、本実施形態で採用した傾斜させた冷媒流路については、図１に示すようなＶ字形状のような一定の角度を持つ傾斜の他に、図１６に示すような、（ａ）途中までは平坦でそれから傾斜をつけるもの、（ｂ）途中から傾斜角度を変更するもの、（ｃ）最初は曲率を小にし途中から曲率を大きくするもの、（ｄ）最初は曲率を大きくし途中から曲率を小さくするもの、などいずれでも構わない。図１６は本発明の各実施形態で用いる、巻線両端部間で傾斜させた冷媒流路の左半分を示す各種の変形例である。
【００３４】
冷媒流路の傾斜形状として、図１のものか、図１６のいずれかを選定するかは、液体冷媒の粘性や冷媒流路からの洩れ量や巻線発熱量などを勘案して決定すればよい。また、傾斜板１４の最底部が軸方向の中央部として説明したが、これに限らず、中央部からずれた位置が最底部であってもよく、最底部が一点の箇所に限らず、多少幅のある平坦部であってもよい。
【００３５】
上述した図１６に示す各種の変形例は、本発明の実施形態１に限らず、以下に述べる実施形態にも適用可能である。
【００３６】
図１に示すように、本実施形態１における傾斜板１４が、巻線４の両端部側から回転軸軸方向の中央に向けてそれぞれ下傾斜した形状を有しているので、巻線両端部又は片端部に滴下した液体冷媒は、傾斜板１４のガイドによって巻線を伝って流れるので巻線の軸方向に亘って略同等にむら無く巻線冷却をすることができる（傾斜板を設けない従来例では、巻線端部に滴下した液体冷媒は、当該巻線の中央部に流れることが少なく、その大部分は下位の巻線端部に漏れ流れてしまう）。
【００３７】
図２と図３に示すように、最上位に位置するスロット以外にも傾斜板１４を設けることによって、滴下又は噴射された液体冷媒は、ほとんど全て、対応する傾斜板のある巻線に流れ込むので、傾斜板１４を設けたスロットに巻回された巻線同士は略同等な冷却効果が期待できる（傾斜板を設けない従来例では、より上位の巻線端部から漏れ流れてきた下位の巻線端部にはより多くの液体冷媒が降り注ぐことになり、冷却効果に差が出ることになる）。以上述べた巻線への冷却効果は、以下に示す実施形態でも共通して奏する効果である。
【００３８】
「実施形態２」
本発明の実施形態２に係る発電電動機について、図４、図５、図６を参照しながら以下説明する。図４は本発明の実施形態２に係る発電電動機における液体冷媒の流れ通路を示す断面図である。ただし、図２３に一点鎖線で示した中心線より上方の領域を示している。また、図５と図６は、それぞれ図４のＣ−Ｃ’断面、Ｄ−Ｄ’断面におけるスロットの内部構成を示す図であり、回転子は図示していない。
【００３９】
ここで、本実施形態２では、固定子鉄心１のスロット３内にスペーサ１１を設けることが特徴の１つである。スペーサ１１は、図５の図示例で断面が三角形状を示したものであり、スロット３内の電機子巻線４ａと４ｂとの間に設けられ、スペーサ１１の上面が固定子鉄心１の軸方向端部から軸方向中央に向かって傾斜するくさび型の形状であり（図４を参照）、図５（Ｃ−Ｃ’断面）に比べて、図６（Ｄ−Ｄ’断面）に示すくさびの断面積が、軸方向の中央に向かう傾斜形状によって縮小している。スペーサ１１は樹脂等の絶縁体から構成するのが電気絶縁性の観点で望ましい。その他の構成は実施形態１と同様である。
【００４０】
本実施形態２の構成により、電機子巻線４の両端部に導入された液体冷媒はスペーサ１１の上面を通って固定子鉄心１の軸方向中央へ導かれる。このような冷媒流路の形成によって、電機子巻線４を伝って流れる液体冷媒の量が増加し、冷却能力が向上する。
【００４１】
また、図４〜図６に示すように、スペーサ１１によりスロット３内における冷媒流路を形成することで、スロット３内の巻線４と絶縁シート１２の支持、固定を容易にするとともに、巻線４と絶縁シート１２の位置ずれなどを防いで冷媒流路面積を確実に保持することができる。
【００４２】
「実施形態３」
本発明の実施形態３に係る発電電動機について、図４、図７、図８を参照しながら以下説明する。図４は本発明の実施形態３に係る発電電動機における液体冷媒の流れ通路を示す断面図である。また、図７と図８は、それぞれ図４のＣ−Ｃ’断面、Ｄ−Ｄ’断面におけるスロットの内部構成を示す図であり、回転子は図示していない。
【００４３】
ここで、本実施形態３では、固定子鉄心１のスロット３内に巻線支持部一体型スペーサ３１を設けることが特徴の１つである。巻線支持部一体型スペーサ３１は、スロット３内の電機子巻線４ａと４ｂとの間に介在する凸部形状を有するとともに、内径側では巻線を支持する平坦形状を有するものである。この凸部形状の上面が固定子鉄心の軸方向両端から軸方向中央に向かって傾斜する形状であり、図７（Ｃ−Ｃ’断面）に比べて、図８（Ｄ−Ｄ’断面）に示す凸部形状の断面積が、軸方向の中央に向かう傾斜形状によって縮小している。この巻線支持部一体型スペーサ３１は樹脂等で形成するのが望ましい。その他の構成は実施形態２と同様である。
【００４４】
本実施形態３の構成により、電機子巻線４の両端部に導入された液体冷媒は巻線支持部一体型スペーサ３１の凸部形状の上面を面を通って固定子鉄心１の軸方向中央へ導かれる。このような冷媒流路の形成によって、電機子巻線４を伝って流れる液体冷媒の量が増加し、冷却能力が向上する。
【００４５】
また、図７と図８に示すように、巻線支持部一体型スペーサ３１によりスロット３内における冷媒流路を形成することで、スロット３内の巻線４と絶縁シート１２の支持、固定を容易にするとともに、巻線４と絶縁シート１２の位置ずれなどを防いで冷媒流路面積を確実に保持することができる。
【００４６】
また、本実施形態３では、巻線支持部とスペーサを一体にすることで部品点数を削減でき、従来の発電電動機からのコスト増加を伴うことなく実現することができる。
【００４７】
「実施形態４」
本発明の実施形態４に係る発電電動機について図９を参照しながら以下説明する。図９は本発明の実施形態４に係る発電電動機における液体冷媒の流れ通路を示す断面図である。ただし、図２３に一点鎖線で示した中心線より上方の領域を示している。
【００４８】
ここで、本実施形態４は、図１〜図３に示す実施形態１と比べると、固定子鉄心１のスロット３内で電機子巻線４ａと４ｂとの間に傾斜板１４を設け、この傾斜板１４が固定子鉄心１の軸方向両端から中央に向かって傾斜する構造であることについて、実施形態１と共通している。本実施形態４が実施形態１と異なる点は、傾斜板１４が固定子鉄心１の両端部で固定子鉄心１よりも軸方向両端方向に延設していることである。固定子鉄心１からはみ出た巻線端部の互いに隣接する巻線端部同士の間には隙間が存在しており、本実施形態４はこの隙間に傾斜板１４が設置される構造である。この傾斜板１４は樹脂等の絶縁体から構成するのが望ましい。その他の構成は実施形態１と同様である。
【００４９】
本実施形態４の構成により、電機子巻線４を伝って流れる液体冷媒に加えて、滴下された液体冷媒が延設した傾斜板１４により受け止められて固定子鉄心１の軸方向中央へ導かれる。これにより、電機子巻線４に沿う液体冷媒の量がさらに増加し、冷却能力が向上する。
【００５０】
本実施形態４においては、傾斜板が実施形態１の傾斜板１４の両端に延長した例を示したが、実施形態２のスペーサ１１又は実施形態３の巻線支持部一体型スペーサ３１の両端を延長する変形例であっても、本実施形態４の傾斜板と同様の効果を得ることができる。
【００５１】
「実施形態５」
本発明の実施形態５に係る発電電動機について図１０を参照しながら以下説明する。図１０は本発明の実施形態５に係る発電電動機における液体冷媒の流れ通路を示す断面図である。ただし、図２３に一点鎖線で示した中心線より上方の領域を示している。
【００５２】
ここで、本実施形態５は、図４〜図６に示す実施形態２と比べると、固定子鉄心１のスロット３内にスペーサ１１を設けることについて、実施形態２と共通している。本実施形態５が実施形態２と異なる点は、固定子鉄心１の中央部に液体冷媒抜き孔１５を設けることである。
【００５３】
本実施形態５の構成により、電機子巻線４を伝って流れる液体冷媒に加えて、滴下された液体冷媒はスペーサ１１の上面を通って固定子鉄心１の軸方向中央へ導入され、次いで、液体冷媒抜き孔１５から内径側へ至り、回転子５に滴下する。これにより、回転子５に渦電流損などに起因して発熱が生じる場合においても、液体冷媒による冷却が可能である。
【００５４】
また、電機子巻線４の発熱を受けて高温となった液体冷媒がスロット内で滞留することを防ぐことができる。
【００５５】
「実施形態６」
本発明の実施形態６に係る発電電動機について、図１１〜図１５を参照しながら以下説明する。図１１は本発明の実施形態６に係る発電電動機における固定子鉄心ティースに取り付けられる巻線ボビンを示す見取図である。図１２は本実施形態６に関する固定子鉄心ティースに取り付けられた巻線ボビンと巻線を示す見取図である。図１３は本実施形態６に関する巻線ボビンとこれに付設した傾斜冷媒流路の構造を示す見取図である。図１４は本実施形態６に係る発電電動機の軸方向端部付近での断面におけるスロット構成を示す図である。図１５は本実施形態６に係る発電電動機の軸方向中央付近での断面におけるスロット構成を示す図である。
【００５６】
図１１によると、固定子鉄心を回転軸周方向に１ティース毎にスロットの位置において分割した固定子構造と、１つのティースに取り付けられる巻線ボビン３２と、が示されている。巻線ボビン３２は回転軸の軸方向において２分割され、軸方向から挟み込む形でティース２に取り付けられる。図１２は、電機子巻線４を巻回した巻線ボビン３２をティース２に取り付けた状態を示している。
【００５７】
本実施形態６では、図１３に示すように、巻線ボビン３２を設けることと、巻線ボビン３２に傾斜冷媒流路３３を付設することが特徴の１つとなっている。本実施形態６における軸方向の鉛直断面図を図１４と図１５に示す。図１４は、本実施形態６における軸方向端部付近でのスロット構成を示す図であり、回転軸の径方向の外径側に傾斜冷媒流路３３が位置している。一方、図１５は本実施形態６における軸方向中央付近でのスロット構成を示す図であり、図１４に比べて、回転軸の径方向の内径側に傾斜冷媒流路３３が位置している。
【００５８】
本実施形態６の構成により、電機子巻線４を伝って流れた液体冷媒は傾斜冷媒流路３３を通って固定子鉄心１の軸方向中央へ導かれる。これにより、電機子巻線４を伝って流れる液体冷媒の量がさらに増加し、冷却能力がさらに向上する。また、本実施形態６のように巻線ボビン３２と一体で傾斜冷媒流路３３を構成することによって、部品点数が削減され、組み立てが容易となる。
【００５９】
「実施形態７」
本発明の実施形態７に係る、発電電動機を適用した電動車両について、図１７〜図２０を参照しながら以下説明する。まず、本発明の実施形態７に係る電動車両について、図１８〜図２０を参照しながら以下説明する。図１８は本実施形態７に係る発電電動機を適用した電動車両の外観を示す見取り図であり、図１９は本実施形態７に係る発電電動機を適用した電動車両が傾斜地で作業する状況を表す図であり、図２０は本実施形態７に係る発電電動機を適用した電動車両におけるエンジン室の断面構成図である。
【００６０】
図１８〜図２０において、電動車両（油圧ショベル）は、走行体４１と、走行体４１上に旋回可能に設けた旋回体４２と、旋回体４２の前方左側に設けた運転室４３と、旋回体４２上に横置きに配置したエンジン室４４と、旋回体４２の後部に設けたカウンタウェイト４５と、旋回体４２の前部に設けられ、ブーム４６１、アーム４６２、及びバケット４６３からなる多関節型フロント装置４６と、から構成されている。
【００６１】
走行体４１は、左右に無限軌道履帯４１１を備えていて、それぞれ走行用モータ４１２の駆動力によって駆動される。エンジン室４４及び多関節型フロント装置４６等を備えた旋回体４２は、旋回体４２の中心部に設けた不図示の旋回用モータ（本実施形態に係る発電電動機５０とは別のもの）により走行体４１に対して旋回される。多関節型フロント装置４６を構成するブーム４６１、アーム４６２及びバケット４６３は、それらにそれぞれ設けたブームシリンダ、アームシリンダ及びバケットシリンダ４７によって駆動動作される。
【００６２】
上述した各種シリンダ４７、走行用モータ４１２及び旋回モータは、油圧アクチュエータを用いており、運転室４３内の操作者による操作に応動して、エンジン室４４内のエンジン５１及び／又は発電電動機５０によって駆動される油圧ポンプ５２からの圧油を制御する制御弁装置からの圧油により、駆動されるようになっている。
【００６３】
ここで、発電電動機５０は、図１〜図１７に示す構成のものを用い、油圧ポンプ５２の駆動源として電動車両に適用されるものであり、発電電動機５０に対して、フライホイール５１１と内燃機関部５１２からなるエンジン５１と、ギヤ５２１と油圧機構部５２２からなる油圧ポンプ５２とが、シャフト６を介在して配設される。すなわち、本実施形態にに使用される発電電動機５０が、エンジン５１と油圧ポンプ５２に挟まれて配設される構成である。なお、エンジン５１は必須構成でなくてもよく、電動車両は発電電動機５０と油圧ポンプ５２とか構成されたものであってもよい。
【００６４】
エンジン室４４は、エンジン５１と、発電電動機５０と、油圧ポンプ５２とを備えているが、それ以外に、エンジン５１の冷却水を冷却するラジエータ５６と、ラジエータ５６を冷却する冷却風Ｐを生起する冷却ファン５７と、空気流（冷却風）Ｐを取り入れ冷却ファン５７に導入する吸込口７０と、空気流Ｐを外部に排出する吐出口７１と、吸音体７２と、エンジン５１の回転を冷却ファン５７に伝達するクランク軸５８、ファンベルト５９、補助回転軸６０と、エンジン５１を設置する振動減衰手段５５、フレーム５４と、エンジン５１からの排気ガスを消音するマフラー７３と、各構成要素を覆うカバー（上カバー５３１、吸込側横カバー５３２、下カバー５３３、吐出側横カバー５３４）と、を主として備えている。このように、本実施形態７に係る発電電動機５０は、電動車両において旋回体４２上のエンジン室４４に図２０に示すように各構成要素と関連して配置されるものである。
【００６５】
本実施形態７に係る発電電動機を適用した電動車両は、図１９に示すように、傾斜地４９で掘削作業をする場合に、まず傾斜地４９上を走行体４１が上昇していき、次いで旋回体４２を旋回させてエンジン室４４を横向きに配置させて作業を実施する。図１９に示す作業例では、本実施形態７に係る電動車両は、適用された発電電動機のシャフト（回転軸）６が、その周方向に傾きその軸方向には水平である状態である。電動車両は、回転軸の周方向の傾きに限らず、回転軸の軸方向に傾いて作業する場合も当然にあり得る。
【００６６】
図２０に示す電動車両における発電電動機５０は、発熱源であるエンジン５１と油圧ポンプ５２との間に挟まれていて高温の温度環境下に設置されているので、発電電動機の電機子巻線の冷却を実施する必要性が希求され、冷却の必然性が生じている。一方で、電動車両は、傾斜地で稼働又は作業を行うものであることからすると、電動車両に搭載された発電電動機が傾斜した場合にも平坦地と同様な冷却効果が期待されるのである。
【００６７】
上述した高温環境下と傾斜地での稼働又は作業において、ともに電機子巻線の冷却効果を奏させるためには、実施形態１の最後尾に記述した、巻線の端部から軸方向の中央に向かって傾斜冷媒流路を構成すること、並びに回転軸周方向の最上位スロットとそれより下方のスロットにも上記の傾斜冷媒流路を構成すること、の２つの構成が必要十分条件となるのである。すなわち、本実施形態７に係る電動車両に対して上記の２つの構成を用いることが最適例となる。 
図１７は、本実施形態７に係る電動車両に適用した発電電動機のスロットに設けたスペーサの回転軸周方向の配置を示す図である。電動車両（例えば、油圧ショベル）に発電電動機を搭載する場合に、発電電動機は、図２０に示すように油圧ポンプ５２を駆動するために油圧ポンプ５２と連結されており、発電電動機の回転軸であるシャフト６が、電動車両の平地作業状態では概ね水平となるように車両に搭載される。しかし、電動車両は平地に限らず、図１９に示すように傾斜地４９においても作業することがあり、電動車両はその傾斜角度として最大３０度で作業可能であることが標準的な規定である。
【００６８】
図１７の図示例では、シャフト６の周方向の傾きが最大３０度であることを想定して、発電電動機のスロット構成を説明する。この図示例では、鉛直軸ｅ−ｅ’から４５度以内のスロット３ａ，３ｂ，３ｃに、実施形態２に示すようなスペーサ１１ａ，１１ｂ，１１ｃを設けることを示している。この図示例であれば、固定子の全周３６０度に対してスロットが１２個であるので１スロットが３０度であり、電動車両が３０度傾いても最上位位置に対応するスロットには最低限必ずスペーサ１１ａ又は１１ｃが設けられていることになる。なお、電動車両において、図５に示すスペーサ１１または図７に示す巻線支持部一体型スペーサ３１をスロットに設置することは、電動車両が走行して振動を伴うことを考慮すると、巻線の保持状態を維持する上で効果的である。
【００６９】
なお、上述のようにスペーサを設ける範囲を４５度に限らず、電動車両の最大傾斜角度＋５〜２０度としてもよい。さらに、回転軸６の上位に位置するすべてのスロットに実施形態２に示すようなスペーサを設けることによって、電動車両の最大角度の傾きの場合にも冷却能力の維持を目指しても良い。
【００７０】
なお、電動車両の傾きは、上述したような回転軸６の周方向の傾きに限らず、回転軸６の軸方向の傾きも考えられる。巻線端部間に設けられた傾斜冷媒流路はその中央部分が最下位の位置を占めるように形成されているので、回転軸の軸方向が傾いても液体冷媒は冷媒流路に溜まるようになって、巻線の冷却機能を果たすこととなる。
【００７１】
以上説明したように、本実施形態７では電動車両が傾斜地で作業する場合においても、電機子巻線４を伝って流れた液体冷媒はスペーサ１１ａ，１１ｂ，１１ｃ上面を通って固定子鉄心１の軸方向中央へ導かれる。したがって、電動車両の車体が傾斜する建設機械車両（例えば油圧ショベル）のような車両に搭載された場合においても、冷却能力を維持することができる。
【符号の説明】
【００７２】
１  固定子鉄心
２，２ａ，２ｂ  ティース
３，３ａ，３ｂ，３ｃ  スロット
４，４ａ，４ｂ，４ａ’，４ｂ’  電機子巻線
５  回転子
６  シャフト
７  エンドブラケット
８  モータケース
１１，１１ａ，１１ｂ，１１ｃ  スペーサ
１２  絶縁シート
１３  巻線支持部（挿し木）
１４  傾斜板
１５  液体冷媒抜き孔
２０  液体冷媒
２１ａ，２１ｂ  冷媒供給口
２２  冷媒排出口
２３ａ，２３ｂ  冷媒噴射孔
３１  巻線支持部一体型スペーサ
３２  巻線ボビン
３３  傾斜冷媒流路
３５  オイルシール
３６  リング
４１  走行体
４１１  無限軌道履帯
４１２  走行用モータ
４２  旋回体
４３  運転室
４４  エンジン室
４５  カウンタウェイト
４６  多関節型フロント装置
４６１  ブーム
４６２  アーム
４６３  バケット
４７  シリンダ
４９  傾斜地
５０  発電電動機
５１  エンジン
５１１  フライホイール
５１２  内燃機関部
５２  油圧ポンプ
５２１  ギヤ
５２２  油圧機構部
５３１  上カバー
５３２  吸込側横カバー
５３３  下カバー
５３４  吐出側横カバー
５４  フレーム
５５  振動減衰手段
５６  ラジエータ
５７  冷却ファン
５８  クランク軸
５９  ファンベルト
６０  補助回転軸
７０  吸込口
７１  吐出口
７２  吸音体
７３  マフラー
Ｐ  空気流（冷却風）
【図１】
2014018003.tif 000003
【図２】
2014018003.tif 000004
【図３】
2014018003.tif 000005
【図４】
2014018003.tif 000006
【図５】
2014018003.tif 000007
【図６】
2014018003.tif 000008
【図７】
2014018003.tif 000009
【図８】
2014018003.tif 000010
【図９】
2014018003.tif 000011
【図１０】
2014018003.tif 000012
【図１１】
2014018003.tif 000013
【図１２】
2014018003.tif 000014
【図１３】
2014018003.tif 000015
【図１４】
2014018003.tif 000016
【図１５】
2014018003.tif 000017
【図１６】
2014018003.tif 000018
【図１７】
2014018003.tif 000019
【図１８】
2014018003.tif 000020
【図１９】
2014018003.tif 000021
【図２０】
2014018003.tif 000022
【図２２】
2014018003.tif 000023
【図２３】
2014018003.tif 000024
【図２１】
2014018003.tif 000025